(57)【特許請求の範囲】
【請求項１】
除湿と離脱装置において、
導体電極であって、第１表面と該第１表面に背向する第２表面を具え、該第１表面は粗化表面とされる、上記導体電極と、
除湿体であって、第３表面と該第３表面に背向する第４表面を具え、該第３表面は該第１表面上に形成される、上記除湿体と、
電源であって、該導体電極に電気的に接続されて電圧を該導体電極に提供し、該導体電極に気体に対して放電させ、これにより該第４表面を被覆し且つ複数の帯電粒子を具えたコロナ層を形成する、上記電源と、
を包含することを特徴とする、除湿と離脱装置。
【請求項２】
請求項１記載の除湿と離脱装置において、該電源は高周波変圧器とされ、それは３０００〜２００００ボルトの電圧を発生することを特徴とする、除湿と離脱装置。
【請求項３】
請求項１記載の除湿と離脱装置において、該コロナ層の範囲は該第４表面より該第４表面に垂直に上向きに外向きに延伸されたコロナ距離を有することを特徴とする、除湿と離脱装置。
【請求項４】
請求項３記載の除湿と離脱装置において、該コロナ距離は２．５ｃｍより小さいことを特徴とする、除湿と離脱装置。
【請求項５】
請求項１記載の除湿と離脱装置において、該第２表面上にさらに熱発生ユニットを具え、該熱発生ユニットにより提供する熱を該導体電極を介して該除湿体に伝導することを特徴とする、除湿と離脱装置。
【請求項６】
請求項５記載の除湿と離脱装置において、該熱発生ユニットは太陽エネルギー吸収膜とされて太陽エネルギーを吸収して熱を発生することを特徴とする、除湿と離脱装置。
【請求項７】
請求項５記載の除湿と離脱装置において、該熱発生ユニットはさらに、
太陽エネルギーを吸収して熱を発生する太陽エネルギー吸収膜と、
該第２表面上に形成される熱伝導板と、
該太陽エネルギー吸収膜と該熱伝導板に接続されて、該太陽エネルギー吸収膜が発生する熱を該熱伝導板に伝導する熱伝導素子と、
を包含することを特徴とする、除湿と離脱装置。
【請求項８】
請求項１記載の除湿と離脱装置において、該粗化表面は複数の孔構造を具えた表面とされるか、複数の針状或いは尖部構造を具えた表面とされるか、或いは複数の孔構造と尖部構造を具えた表面とされることを特徴とする、除湿と離脱装置。
【請求項９】
請求項１記載の除湿と離脱装置において、該導体電極は平板状或いは管状の構造とされることを特徴とする、除湿と離脱装置。
【請求項１０】
請求項１記載の除湿と離脱装置において、該導体電極の該気体に対する放電の電流範囲は５００ミリアンペア内とされることを特徴とする、除湿と離脱装置。
【請求項１１】
除湿と離脱システムにおいて、
回転ユニットと、
該回転ユニット上に設置される複数の除湿と離脱装置とを包含し、
各該除湿と離脱装置は、それぞれ、
導体電極であって、第１表面と該第１表面に背向する第２表面を具え、該第１表面は粗化表面とされる、上記導体電極と、
除湿体であって、第３表面と該第３表面に背向する第４表面を具え、該第３表面は該第１表面上に形成される、上記除湿体と、
電源であって、該導体電極に電気的に接続されて電圧を該導体電極に提供し、該導体電極に気体に対して放電させ、これにより該第４表面を被覆し且つ複数の帯電粒子を具えたコロナ層を形成する、上記電源と、
を包含することを特徴とする、除湿と離脱システム。
【請求項１２】
請求項１１記載の除湿と離脱システムにおいて、該電源は高周波変圧器とされ、それは３０００〜２００００ボルトの電圧を発生することを特徴とする、除湿と離脱システム。
【請求項１３】
請求項１１記載の除湿と離脱システムにおいて、該コロナ層の範囲は該第４表面より該第４表面に垂直に上向きに外向きに延伸されたコロナ距離を有することを特徴とする、除湿と離脱システム。
【請求項１４】
請求項１３記載の除湿と離脱システムにおいて、該コロナ距離は２．５ｃｍより小さいことを特徴とする、除湿と離脱システム。
【請求項１５】
請求項１１記載の除湿と離脱システムにおいて、該第２表面上にさらに熱発生ユニットを具え、該熱発生ユニットにより提供する熱を該導体電極を介して該除湿体に伝導することを特徴とする、除湿と離脱システム。
【請求項１６】
請求項１５記載の除湿と離脱システムにおいて、該熱発生ユニットは太陽エネルギー吸収膜とされて太陽エネルギーを吸収して熱を発生することを特徴とする、除湿と離脱システム。
【請求項１７】
請求項１５記載の除湿と離脱システムにおいて、該熱発生ユニットはさらに、
太陽エネルギーを吸収して熱を発生する太陽エネルギー吸収膜と、
該第２表面上に形成される熱伝導板と、
該太陽エネルギー吸収膜と該熱伝導板に接続されて、該太陽エネルギー吸収膜が発生する熱を該熱伝導板に伝導する熱伝導素子と、
を包含することを特徴とする、除湿と離脱システム。
【請求項１８】
請求項１１記載の除湿と離脱システムにおいて、該回転ユニットはさらに、
回転力を提供する駆動器と、
該駆動器に接続されて、該回転力を受けて回転し、該複数の除湿と離脱装置を支持する支持部と、
を包含することを特徴とする、除湿と離脱システム。
【請求項１９】
請求項１８記載の除湿と離脱システムにおいて、該支持部はロッド、多角形柱体或いはチェーン式コンベヤベルトとされることを特徴とする、除湿と離脱システム。
【請求項２０】
請求項１１記載の除湿と離脱システムにおいて、該粗化表面は複数の孔構造を具えた表面とされるか、複数の針状或いは尖部構造を具えた表面とされるか、或いは複数の孔構造と尖部構造を具えた表面とされることを特徴とする、除湿と離脱システム。
【請求項２１】
請求項１１記載の除湿と離脱システムにおいて、該導体電極は平板状或いは管状の構造とされることを特徴とする、除湿と離脱システム。
【請求項２２】
請求項１１記載の除湿と離脱システムにおいて、該導体電極の該気体に対する放電の電流範囲は５００ミリアンペア内とされることを特徴とする、除湿と離脱システム。
【発明の詳細な説明】
【技術分野】
【０００１】
本発明は一種の吸着と再生技術に係り、特に一種の、水分を吸着と除去できる除湿と離脱装置及びシステムに関する。
【背景技術】
【０００２】
伝統的な一般の除湿方式は、冷媒コンプレッサーシステムにより空気中の水分を冷却し、空気乾燥の目的を達成する。ただし、冷媒使用により派生するオゾン層破壊の問題のために、冷媒不要の空気の除湿或いは乾燥の技術は、ますます重視されるようになっている。
【０００３】
除湿の技術において、回転輪式吸着除湿の技術は、コンプレッサーと冷媒を使用せず、除湿体に室内空気中の水分を吸着させた後、空気をヒーターで加熱し、熱空気を該除湿体の再生側に流すことで、水蒸気を離脱させる。再生側の高温高湿の空気は熱交換機中に導入して冷却し、集水トレイ中に冷却水分を収集し、空気を乾燥させる。吸着式除湿装置は除湿体で吸湿する特性により、除湿メカニズムを完成するため、環境気体の温度と湿度の条件の制限を受けず、並びに伝統的なコンプレッサーを使用する必要がないため、低騒音と冷媒使用回避等の技術的優勢を有する。
【０００４】
図１は周知の沸石回転輪式吸着除湿装置表示図である。図１に示されるように、回転輪式吸着除湿装置１は、室内の湿った気流９０を熱交換機１０内に吸入し、さらに除湿体１１に進入させて、除湿体により気流９０内の水分を吸着する。吸着完成した乾燥気流９２は、除湿ファン１２で室内に排出され、こうして空気除湿作業を完成する。また一方で、ヒーター１３で循環気流９１の温度を上昇させ、高温の循環気流９１と除湿体１１上の水分子の温度差により、除湿体１１中の水分子を気化させて離脱させる。続いて高温高湿の循環気流９１を熱交換機１０に進入させた後、除湿装置１の入口の比較的低い温度の湿った気流９０と熱交換させ、熱交換機内の高温高湿空気を冷却して液状水９３となす。冷却後の水分は収集し排出する。循環気流９１は管路でヒーター１３に戻されて再生され、前述の動作が行われ、水分離脱の循環動作が完成する。上述の除湿体１１、ヒーター１３及び熱交換機１０それぞれの機能が風道と結合されることで、除湿効果を有する除湿装置１が完成する。
【０００５】
この技術の加熱離脱メカニズムは主に二つの部分に分けられる。すなわち、（一）気流熱交換気化：熱交換により発生した熱量で除湿装置中の水分の気化させ除去する。水分離脱過程で高温空気の製造が必要であり、且つ長時間の気化を実行しなければ、水分離脱の効果を達成できない。このため、極めて高いエネルギーを使用しなければ加熱乾燥除湿の目標を達成できない。（二）輻射熱気化：ヒーター中の電熱線は電流を通すことで高温を発生し、この熱量は輻射熱の形式であり、除湿体内の構造中の水分子に輻射熱を直接吸収させて気化離脱させる。輻射熱量は表面温度の４乗に比例し、ヒーターの表面はいずれも摂氏４００度以上であり、輻射熱量は極めて高い。これにより、発生する水分離脱効果は遥かに前述の（一）中の気流熱交換気化離脱よりも重要である。
【０００６】
このほか、図２を参照されたい。図２は特許文献１に記載の技術であって、周知の加熱による除湿体の水分離脱の方式の代わりにプラズマを利用している。この技術において、第１区域１８内で、除湿ユニット１７の両側に発生したプラズマにより除湿ユニット１７が吸着した水分を離脱させ、さらに第２区域１９に導入する。この技術は、もう一種のイオンを利用して水分を離脱させる技術を記載してエネルギー消耗の問題を克服しているが、この技術は、電極１５と１６にいずれも導体が用いられる状況で、不安定な火花放電を容易に誘発する欠点を有する。このほか、この引用文献１において、電極１５と１６の間の低電圧放電は、熱プラズマ（ｔｈｅｒｍａｌ  ｐｌａｓｍａ）の駆動方式に属し、すなわち、小電圧（５〜１０ボルト）を利用する方式により電極を駆動してプラズマを発生する。
【先行技術文献】
【特許文献】
【０００７】
【特許文献１】特開２００１−１７９０３７号
【発明の概要】
【発明が解決しようとする課題】
【０００８】
本発明は一種の除湿と離脱装置及びシステムを提供し、それは、単一導体電極板と空気の間に発生する気体マイクロ放電による帯電粒子を利用して除湿体中に含まれる水分を離脱させ、除湿体の水分離脱の効率をアップし、これにより除湿効率を高める。
【課題を解決するための手段】
【０００９】
ある実施例において、本発明は一種の除湿と離脱装置を提供し、それは、導体電極、除湿体及び電源を包含する。該導体電極は、気体環境内に設置され、該導体電極は、第１表面と該第１表面に背向する第２表面を有し、該第１表面は粗化表面とされる。該除湿体は第３表面と該第３表面に背向する第４表面を有し、該第３表面は該第１表面上に形成される。該電源は、該導体電極に電気的に接続され、該電源は電圧を該導体電極に提供し、該導体電極に気体に対する放電を形成させ、これにより、該第４表面を被覆し且つ複数の帯電粒子を具えたコロナ層を形成する。
【００１０】
別の実施例において、本発明は一種の除湿と離脱システムを提供し、それは、回転ユニット及び複数の除湿と離脱装置を包含する。該複数の除湿と離脱装置はそれぞれ該回転ユニット上に設置され、各該除湿と離脱装置は導体電極、除湿体及び電源を包含する。該導体電極は、気体環境内に設置され、該導体電極は、第１表面と該第１表面に背向する第２表面を有し、該第１表面は粗化表面とされる。該除湿体は第３表面と該第３表面に背向する第４表面を有し、該第３表面は該第１表面上に形成される。該電源は、該導体電極に電気的に接続され、該電源は電圧を該導体電極に提供し、該導体電極に気体に対する放電を形成させ、これにより、該第４表面を被覆し且つ複数の帯電粒子を具えたコロナ層を形成する。
【発明の効果】
【００１１】
本発明は一種の除湿と離脱装置及びシステムを提供し、それは、導体電極を具え、並びに除湿体が導体電極板の外表面に塗布されるか或いは該外表面を被覆する。高周波変圧器を利用して高電圧３０００〜２００００ボルトを発生し、該導体電極板に印加して該導体電極板に外周の空気電極に対して小範囲の低電流を発生させ、約１００ミリアンペアの均一なコロナ或いはグロー放電を発生させる。そのうち、高電圧導体電極板外の小範囲内に、吸湿材料を十分に被覆する遊離化空気が存在し且つ帯電粒子を有する。該帯電粒子を利用して除湿体の分極水分子に対する吸引力を攪乱し、水分子を離脱させやすくし、これにより、水分を吸着した材料が、比較的低い温度で或いは空気加熱の必要のない状況で、十分な水分離脱量を有し得る。
【図面の簡単な説明】
【００１２】
【図１】周知の沸石回転輪式吸着除湿装置の表示図である。
【図２】引用文献１に記載のプラズマ方式を周知の加熱により除湿体の水分を離脱させる方式の代わりに採用した技術の表示図である。
【図３Ａ】本発明の除湿と離脱装置の実施例表示図である。
【図３Ｂ】本発明の管状導体電極の表示図である。
【図３Ｃ】本発明の管状導体電極の表示図である。
【図３Ｄ】本発明の、電源が電圧を導体電極に提供して空気電極を形成する表示図である。
【図４Ａ】本発明の粗化表面の異なる実施例の表示図である。
【図４Ｂ】本発明の粗化表面の異なる実施例の表示図である。
【図５】本発明の除湿体表面に形成されるコロナ層が除湿体の水分吸着に干渉する表示図である。
【図６Ａ】本発明の除湿と離脱装置の別の実施例の表示図である。
【図６Ｂ】本発明の熱発生ユニットの別の実施例の表示図である。
【図７】本発明の除湿と離脱システムの第１実施例の表示図である。
【図８】本発明の除湿と離脱システムの第２実施例の表示図である。
【図９】本発明の除湿と離脱システムの第３実施例の表示図である。
【図１０】本発明の除湿と離脱システムの第４実施例の表示図である。
【発明を実施するための形態】
【００１３】
本発明の技術内容、構造特徴、達成する目的を詳細に説明するため、以下に実施例を挙げ並びに図面を組み合わせて説明する。
【００１４】
図３Ａを参照されたい。それは本発明の除湿と離脱装置の実施例表示図である。該除湿と離脱装置２は、導体電極２０、除湿体２１及び電源２２を包含する。該導体電極２０は、気体環境７０内に設置され、該導体電極２０は、第１表面２０１と該第１表面２０１に背向する第２表面２０２を有する。該導体電極２０の材料は、一般には金属、合金、石墨或いはこれらの混合物とされるが、これに限定されるわけではない。本実施例中、該導体電極２０の構造形態は平板状構造とされる。このほか、図３Ｂと図３Ｃに示されるように、該導体電極２０はまた、管状構造とされ得る。このほか、説明すべきこととして、該気体環境７０は、室内環境或いは室外環境とされ得て、並びに一定の制限はなく、ただ気体を有する空間であればよい。
【００１５】
さらに図３Ａに戻ると、該導体電極２０の第１表面２０１は粗化表面とされ、本実施例では、該粗化表面は複数の尖部構造２００で構成される。該複数の尖部構造２００は規則或いは不規則分布とされ得る。このほか、図４Ａを参照されたい。それは本発明の粗化表面のもう一つの実施例表示図である。この実施例では、該導体電極２０の第１表面２０１上に複数の孔構造２０３があり、それは規則或いは不規則に分布する。説明すべきこととして、もう一つの実施例中、該第１表面２０１は、複数の規則或いは不規則の孔構造と複数の規則或いは不規則の針状或いは尖部構造が組み合わされてなるものとされ得る。このほか、図４Ｂに示されるように、該第１表面２０１に複数の導線状構造２０４を形成して粗く不平坦な表面を形成してもよい。説明をすべきこととして、該導線状構造２０４は必ずしも直線状でなくてもよく、折れ線状或いは曲線状等の構造とされてもよい。
【００１６】
さらに、図３Ａに示されるように、該除湿体２１は、該気体環境７０内に設置され、該除湿体２１は第３表面２１０と該第３表面２１０に背向する第４表面２１１を有する。該第３表面２１０は該第１表面２０１上に形成される。該除湿体２１は、水分を含有する気流８ａが通過する。該除湿体２１内部にはさらに多孔性のマイクロ構造が設けられ、気流８ａに含有される水分を吸収する。該除湿体２１は塗布方式或いは被覆方式を利用して、該導体電極２０の第１表面２０１に形成される。本実施例では、該除湿体２１は、緊密に該導体電極２０の第１表面２０１上を被覆する。図３Ｂの実施例では、該導体電極２０は管状構造とされ、該除湿体２１は、被覆式或いは塗布の方式で、該導体電極２０の外表面上に形成される。また、図３Ｃに示される実施例では、該導体電極２０は管状構造とされ、該除湿体２１は被覆或いは塗布方式を利用して該導体電極２０の内表面上に形成される。
【００１７】
さらに、図３Ａに戻る。該電源２２は、高圧導線２２１を介して導体電極２０に接続される。該電源は、導線２２２を介して接地する。本発明の図示を簡易化するため、図３Ａ中の高圧導線２２１と導線２２２は僅かに示意とされるが、本願発明の属する技術の分野における通常の知識を有する者であれば、本発明の実施状態を理解できる。本実施例中、該電源２２は高周波変圧器とされ、たとえば、限電流型高周波、高圧交流電源供給器或いは限電流型高周波、高圧直流電源供給器とされ、それは、３０００〜２００００ボルトの高電圧を発生する。このほか、説明すべきこととして、前述の図３Ａ中、該電源２２が該導体電極２０に未導通の状態で、除湿体は気流８ａ内に含有された水分を吸着する。吸着作業がある時間実行された後、除湿体２１に吸収された水分を離脱させ再生させ、乾燥させた除湿体２１が続いて気流８ａの水分を吸着できるようにする必要がある。
【００１８】
続いて、吸着の方式について説明する。図３Ｄに示されるように、離脱再生が必要なとき、該電源２２は電圧を該導体電極２０に提供し、該導体電極２０の粗化表面が該導体電極２０が該気体環境７０内で、該第１表面２０１の法線ベクトル方向の気体に小サイズの低電流放電を発生させるのを助け、該第４表面２１１を被覆し且つ複数の帯電粒子を有するコロナ層を形成する。説明すべきこととして、低電流は、設計の必要により定められ、５００ミリアンペア内とされるが、これに制限されるわけではない。本実施例中、該低電流は１００ミリアンペアとされる。該第１表面２０１は粗化表面とされ、これにより、容易に尖端放電を発生する。該コロナ層の範囲は、該第４表面２１１より該第４表面２１１に垂直な方向に、上向き外向きにコロナ距離Ｄ延伸される。ある実施例中、該コロナ距離は２．５ｃｍより小さい。該電源２２が提供する高電圧が該導体電極２０に供給される時、該導体電極２０と該導体電極２０と除湿体２１を被覆する空気の間に、気体放電遊離化領域２３の気体が発生する。該領域２３は空気電極と見なされ得て、該遊離化の効果に該送風気流８ｂが組み合わされて、該除湿体２１に吸着された水分が離脱し、こうして該除湿体２１の通電再生が完成する。図５を参照されたい。それは除湿体表面に形成されるコロナ層の除湿体の水分吸着に対する干渉の表示図である。コロナ層９４が電場効果７３を有する帯電粒子７２を有して除湿体の水分を離脱させて再生する技術は、高電場効果が形成する電場干渉を利用し、除湿体２１と水分子の間の極性吸引力を減らし、水分子をより容易の除湿体２１より離脱させる。
【００１９】
続いて、本発明がコロナ放電を利用する原理を説明する。気体（空気）は十分に高い電源電圧のパンチスルーにより電子ブレークダウンを発生し、気体放電の現象を発生し得る。該電子ブレークダウンは気体放電理論のパッシェンの法則（Ｐａｓｃｈｅｎ’ｓ  ｌａｗ）に見られる。該法則に基づき、ブレークダウン電圧は気体圧力と電極距離の関数とされ、理論と実験から推導されるように、７．５μｍの放電距離及び標準の１大気圧下では、ブレークダウン電圧は３００ボルトより大きくなければならず、すなわち、１ｍｍ放電距離が増加すれば、電圧は４００００ボルト増加されなければならない。
【００２０】
金属電極表面が空気に対して、安定し、極めて短いナノセカンド（ｎａｎｏｓｅｃｏｎｄ，ｎｓ）の時間内のマイクロ放電（ｍａｉｃｒｏｄｉｓｃｈａｒｇｅ）を発生し、同時にランダムに異なる位置でマイクロ放電を発生するため、全体的にみて、絶縁体媒体（たとえば吸着材料）の表面に均一なマイクロ放電を拡散する。ただし、導体表面の電荷の分布に基づき、曲率半径が小さくなる部分ほど、単位面積内に集積する電荷は多くなり、突破電圧を低くできる。これにより、本発明は導体電極表面が規則或いは不規則配列のマイクロ構造とされ、たとえば、規則或いは不規則の針状アレイ或いは尖部構造とされ、尖端の面積は極めて小さいため、電荷密度は最小で２０倍にも達し、これにより、１ｍｍ放電距離が増加する毎に、高くしなければならない電圧は僅かに８００〜２０００ボルトで、同じレベルの場の強度を形成できる。たとえば、本発明のある実施例では、導体電極表面の複数の尖部構造により、コロナ放電が発生するコロナ層は、２００００ボルトの電圧下で、最大２５ｍｍ長の放電距離を発生できる。
【００２１】
図６Ａを参照されたい。それは本発明の除湿と離脱装置の別の実施例表示図である。この実施例は、基本的には図３Ａの構造に類似するが、異なるところは、該除湿と離脱装置２はさらに熱発生ユニット２４を有することである。該熱発生ユニット２４は該導体電極２０に接続され、熱を該導体電極２０を介して該除湿体２１に伝導する。本実施例では、該熱発生ユニット２４は該導体電極２０の第２表面２０２上に形成され、熱を該導体電極２０を介して該除湿体２１に伝導する。該熱発生ユニット２４の熱の発生方式は、電力或いは太陽エネルギーを利用する。本実施例では、該熱発生ユニット２４の熱発生の方式は、太陽エネルギーを利用したものとされる。
【００２２】
このほか、該熱発生ユニット２４の構造はまた、必要により、異なる設計とされ得る。ある実施例では、図６Ａに示されるように、該熱発生ユニット２４は太陽エネルギー吸収膜とされて、太陽７１の発生する太陽エネルギーを吸収して熱を発生する。該太陽エネルギー吸収膜は金属セラミック層材料で製造可能であるが、これに限定されるわけではない。このほか、図６Ｂを参照されたい。それは本発明の熱発生ユニットのもう一つの実施例表示図である。この実施例において、該熱発生ユニット２４は太陽エネルギー吸収膜２４０、熱伝導板２４１及び熱伝導素子２４２を包含する。該太陽エネルギー吸収膜２４０は、太陽７１の発生する太陽エネルギーを吸収して熱を発生する。該熱伝導板２４１は、該導体電極２０の第２表面２０２上に形成される。該熱伝導素子２４２は、該太陽エネルギー吸収膜２４０及び該熱伝導板２４１に接続され、該太陽エネルギー吸収膜２４０が発生した熱を該熱伝導板２４１に伝導する。該熱伝導板２４１と該熱伝導素子２４２は熱伝導係数が高い金属材料で構成される。熱エネルギーにより、該遊離化した気体は帯電気流の効果と太陽エネルギー吸収膜２４０の熱伝導加熱効果により、該除湿体上の水分の離脱を加速し、再生を完成する。
【００２３】
図７を参照されたい。それは、本発明の除湿と離脱システムの第１実施例表示図である。本実施例では、該除湿と離脱システム３は、回転ユニット３１と複数の除湿と離脱装置２を包含する。該複数の除湿と離脱装置２はそれぞれ該回転ユニット３１上に設置される。該除湿と離脱装置２の構造は、前述したとおりであり、ここで重複した説明は行わない。本発明の除湿と離脱装置２中の電源２２は固定されて不動な状態とされる。該回転ユニット３１は駆動器３１０及び支持部を包含し、それは一対のロッド３１２と３１３を包含する。該一対のロッド３１２と３１３は、該駆動器３１０、たとえばモータの回転軸と接続されて、除湿と離脱装置２を支持する。該ロッド３１２と３１３は絶縁の材料で形成される。
【００２４】
図７を参照されたい。符号７４は除湿体の離脱再生環境を代表し、たとえば、室外或いは離脱占用の管道内とされる。符号７５は除湿が必要な環境、たとえば、室内環境を代表する。回転ユニット３１の回転により、複数の除湿と離脱装置２の位置が制御できる。たとえば、環境７５内の除湿と離脱装置２が環境中の水分をある時間吸着した後、該回転ユニット３１が回転を発生して環境７５内の除湿と離脱装置２を回転させ、除湿体を離脱再生される環境７４に至らせ、該電源２２の一端の電極２２０と接続する。該電源２２が発生する高圧電源により、該電極２２０に接続された除湿と離脱装置２は前述の図５に示される電場効果を有する帯電粒子を発生して、除湿体より離脱させ、該除湿体２１内の水分を離脱させ、これにより、除湿体２１を再生して乾燥した除湿体２１を形成する。同様に、環境７５内の除湿と離脱装置２が環境中の水分をある時間吸着した後に、該回転ユニット３１は回転を発生して環境７４内のすでに離脱再生処理を完成した除湿と離脱装置２を環境７５に至らせ、環境７５内の水分を吸着させる。
【００２５】
図８を参照されたい。それは本発明の除湿と離脱システムの第２実施例の表示図である。本実施例中、該除湿と離脱システムは回転ユニット４１と一対の除湿と離脱装置２を包含する。該回転ユニット４１は駆動器４１０と絶縁層４１１を包含する。該駆動器４１０の回転軸４１２は該絶縁層４１１と固定接続される。該絶縁層４１１の上下両表面にそれぞれ該除湿と離脱装置２が固定される。該絶縁層４１１の他側には回転軸４１３があり固定端と枢接される。このほか、該絶縁層４１１の一側に電源２２が設けられ、それは固定されて不動であり、これにより、そのうち一方の除湿と離脱装置２のみが該電源２２と電気的に接続される。本実施例中の操作方式は、図７と同様であり、絶縁層４１１の上方の除湿と離脱装置２が環境中の水分を吸着する時、下方の除湿と離脱装置２は離脱再生処理を行う。絶縁層４１１の上方の除湿と離脱装置２が吸収する水分が飽和に達すると、該駆動器４１０は回転力を発生し、絶縁層４１１を駆動し回転させ、該一対の除湿と離脱装置２の位置を交換する。
【００２６】
図９を参照されたい。図９は本発明の除湿と離脱システムの第３実施例の表示図である。本実施例では、該除湿と離脱システム５は、回転ユニット５０、多角形柱体５１及び複数の除湿と離脱装置２を包含する。該回転ユニット５０は駆動器５００、回転軸５０１及び支持部を包含する。該多角形柱体５１は、絶縁材料で形成され、該多角形柱体５１は複数の側辺５１０を具え、各側辺５１０に貫通孔が設けられて該貫通孔に導電体５３が設置される。本実施例では、該多角形柱体５１は八角形とされるが、側辺数量は使用者の必要により決定され、これに制限されるわけではない。各側辺５１０にさらに除湿と離脱装置２が設置され、その具備する導体電極２０は導電体５３に電気的に接続される。該支持部は複数の絶縁サポートフレーム５２を包含し、該多角形柱体５１内に設置され、各絶縁サポートフレーム５２の一端は該回転軸５０１に接続され、他端は該多角形柱体５１に接続される。
【００２７】
このほか、該多角形柱体５１内に複数の電源２２ａ〜２２ｃを具え、それは固定されて不動であり、各電源２２ａ〜２２ｃはそのうち一つの除湿と離脱装置２と電気的に接続される。該電源２２ａ〜２２ｃの構造は、前述と同じであり、ここで重複した説明は行わない。電源２２ａ〜２２ｃが接続される除湿と離脱装置２のある環境は、除湿体が水分離脱される再生環境７４に属し、たとえば、室外或いは水分離脱専用の管路内とされる。符号７５は除湿が必要な環境を代表し、たとえば、室内環境とされる。再生環境７４内の全ての除湿と離脱装置２の数量及び除湿する環境７５内にある除湿と離脱装置２の数量は使用者の必要により決定され、並びに本実施例の図面に示される数量により限定されない。図９中、第１時間点において、該除湿と離脱システム５は図９に示されるような状態であり、特定時間経過した時、該駆動器５００が時計周り或いは逆時計周りにある角度回転させられ、本実施例では、逆時計周りに４５度回転させられる。該多角形柱体５１は絶縁サポートフレーム５２により該駆動器５００に接続され、これにより、該駆動器５００が逆時計周りに４５度回転する時、該多角形柱体５１もそれに伴い４５度回転する。このとき、電源２２ａ〜２２ｃに接続された除湿と離脱装置２は、該多角形柱体５１の回転に伴い位置を変化する。
【００２８】
図１０を参照されたい。それは本発明の除湿と離脱システムの第４実施例の表示図である。本実施例では、該除湿と離脱システム６は、回転ユニット６０と複数の除湿と離脱装置２を包含する。該回転ユニット６０は駆動器６１と支持部を包含する。該支持部は一対のチェーン６００と複数のスプロケット６０１を包含する。各チェーン６００は複数の鎖体６０００と連結体６００１が相互に接続されてなる。各チェーン６００の両端はそれぞれスプロケット６０１に接続され、そのうち一つのスプロケット６０１は該駆動器６１、たとえばモータに接続されて、駆動器６１の動力を受けて回転する。相互に対応する鎖体６０００上にはそれぞれ除湿と離脱装置２が設置される。駆動器６１によりスプロケット６０１が駆動されて回転し、チェーン６００を駆動し回転させ、これによりチェーン６００上の除湿と離脱装置２の位置が変化する。説明すべきこととして、該除湿と離脱装置２と該鎖体６０００の間には絶縁層２５が設けられ、該絶縁層２５上の特定位置に凹口２５０があり、該導体電極２０を露出させ、これにより高圧電源が該凹口２５０部分の導体電極２０と電気的に接続し、これにより高圧電源を該導体電極２０に提供して除湿体２１が吸着した水分を離脱させられる。
【００２９】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【符号の説明】
【００３０】
１  除湿装置
１０  熱交換機
１１  除湿体
１２  除湿ファン
１３  ヒーター
１５、１６  電極
１７  除湿ユニット
１８  第１区域
１９  第２区域
２  除湿と離脱装置
２０  導体電極
２００  尖部構造
２０１  第１表面
２０２  第２表面
２０３  孔構造
２０４  導線状構造
２１  除湿体
２１０  第３表面
２１１  第４表面
２２、２２ａ〜２２ｃ  電源
２２０  電極
２２１、２２２  導線
２３  遊離化領域
２４  熱発生ユニット
２４０  太陽エネルギー吸収膜
２４１  熱伝導板
２４２  熱伝導素子
２５  絶縁層
２５０  凹口
３  除湿と離脱システム
３１  回転ユニット
３１０  駆動器
３１１  回転軸
３１２、３１３  ロッド
４  除湿と離脱システム
４１  回転ユニット
４１０  駆動器
４１１  絶縁層
４１２  回転軸
４１３  回転軸
５  除湿と離脱システム
５０  回転ユニット
５００  駆動器
５０１  回転軸
５１  多角形柱体
５１０  側辺
５２  絶縁サポートフレーム
５３  導電体
６  除湿と離脱システム
６０  回転ユニット
６００  チェーン
６０００  鎖体
６００１  連結体
６０１  スプロケット
６１  駆動器
７０  気体環境
７１  太陽
７２  帯電粒子
７３  電場効果
７４  再生環境
７５  除湿する環境
８ａ、８ｂ  気流
９０、９１、９２  気流
９３  水
９４  コロナ層
【図１】
0005453490.tif 000002
【図２】
0005453490.tif 000003
【図３Ａ】
0005453490.tif 000004
【図３Ｂ】
0005453490.tif 000005
【図３Ｃ】
0005453490.tif 000006
【図３Ｄ】
0005453490.tif 000007
【図４Ａ】
0005453490.tif 000008
【図４Ｂ】
0005453490.tif 000009
【図５】
0005453490.tif 000010
【図６Ａ】
0005453490.tif 000011
【図６Ｂ】
0005453490.tif 000012
【図７】
0005453490.tif 000013
【図８】
0005453490.tif 000014
【図９】
0005453490.tif 000015
【図１０】
0005453490.tif 000016